(57)【特許請求の範囲】
【請求項１】
被検者を横臥させる天板と、該天板の下方に配置し、面を該天板に向けた放射線受像部と、前記天板の下方において前記放射線受像部を前記天板の下方位置から外側位置まで前記天板の短手に沿う方向に水平移動する移動手段と、該移動手段に付設し、前記天板の外側位置において前記放射線受像部をその面が鉛直方向を向くように水平軸を中心に回転させる回転手段と、前記移動手段に付設し、前記天板の外側位置において前記放射線受像部の鉛直方向に対する高さ位置を変更する変更手段とを備えたことを特徴とする放射線受像部付撮影台。
【請求項２】
前記変更手段においては、前記放射線受像部を前記天板の短手に沿う方向に水平移動し、その後に前記回転手段により回転し前記高さ位置を変更するようにした請求項１に記載の放射線受像部付撮影台。
【請求項３】
前記変更手段においては、前記放射線受像部を前記回転手段により回転した後に、前記高さ位置を変更するようにした請求項１に記載の放射線受像部付撮影台。
【請求項４】
前記放射線受像部は、放射線をその強度に応じた電荷に変換する固体検出素子を二次元状に配置して成る放射線検出器と、該放射線検出器から信号を読み取る信号読取回路とから構成した請求項１〜３の何れか１つの請求項に記載の放射線受像部付撮影台。
【請求項５】
請求項１〜４の何れかの放射線受像部付撮影台と放射線発生源とを有し、該放射線発生源からの放射線による被検者の放射線画像を前記放射線受像部により得る放射線撮影システム。
【発明の詳細な説明】
【０００１】
【発明の属する技術分野】
本発明は、テーブル、ベッド等の天板に横臥させた被検者にＸ線等の放射線を投射し、被検者を透過した放射線を天板の下方又は側方に配置した放射線受像部により受像する放射線受像部付撮影台に関するものである。
【０００２】
【従来の技術】
従来、この種の放射線受像部付撮影台を備えた放射線撮影装置は、被検者の医療診断、物質の非破壊検査等の多様な分野に使用されており、増感紙と放射線写真フィルムを密着させて使用する所謂放射線写真法を採用している。この放射線撮影装置において、放射線が被検者を透過して増感紙に入射すると、増感紙に含まれている蛍光体が放射線エネルギを吸収して蛍光を発生する。そして、この蛍光により放射線写真フィルムが感光し、放射線像を可視像として記録する。
【０００３】
近年、蓄積性蛍光体から成る放射線検出器を備えた画像記録再生装置が考案されている。この画像記録再生装置においては、放射線が被写体を透過して蓄積性蛍光体に入射すると、蓄積性蛍光体は放射線エネルギの一部を蓄積する。そして、蓄積性蛍光体に可視光等の光を照射すると、蓄積性蛍光体は蓄積した放射線エネルギに応じた輝尽発光を示す。つまり、蓄積性蛍光体は被写体の放射線画像情報を蓄積し、走査手段が蓄積性蛍光体をレーザー光等の励起光により走査し、信号読取手段が輝尽発光光を光電的に読み取り、写真感光材料等の記録材料又はＣＲＴ等の表示手段が可視像として記録又は表示する。
【０００４】
また、半導体プロセス技術の進歩により、放射線をリアルタイムで直接にデジタル出力する放射線デジタル検出器が提案され、例えば特開平８ー１１６０４４号公報に記載されている。この放射線デジタル検出器はシンチレータと固体光検出器を積層した構成となっており、シンチレータは放射線を可視光に変換し、固体光検出器は可視光を光電変換するようになっている。固体光検出器は石英ガラスから成る基板上に、透明導電膜と導電膜から成る固体光検出素子をアモルファス半導体膜で挟んでマトリクス状に配列することにより製作が可能となっている。
【０００５】
そして、この種の放射線デジタル検出器は数ｍｍの厚さの平面パネル状であるため、この放射線デジタル検出器を採用した放射線受像部は薄型軽量化が容易となっている。また、放射線受像部はフィルムや蓄積性蛍光体シート等の消耗部材を用いることなくデジタル画像を直接に得ることができるため、従来では必要であった繰り返し作業、即ち放射線受像部にフィルム又は蓄積性蛍光体シートを収容したカセッテを設定する作業や、撮影した後にカセッテを取り出して現像する作業が不要となり、撮影技師を煩雑な作業から解放している。
【０００６】
例えば、図６は被検者Ｓの四肢、頭部、腹部等を単純撮影する際に使用可能なブッキー撮影台を示し、この撮影台では被検者Ｓを横臥させる天板１が支持台２に四隅の支柱３を介して支持されている。天板１の下方で支持台２の上面にはＸ線受像部４が配置され、このＸ線受像部４内の空間４ａにはＸ線検出器が組み込まれている。そして、天板１上に仰臥又は伏臥した被検者Ｓを撮影する際には、被検者Ｓの上方に位置する管球ＴからＸ線を曝射し、被検者Ｓを透過したＸ線をＸ線受像部４により受像する。
【０００７】
また、図７に示すように天板１上に仰臥又は伏臥した被検者Ｓの側面を撮影する場合には、天板１の下に配置したＸ線受像部４を使用する代りに、フィルム又は蓄積性蛍光体シートを収容したカセッテ５を、被検者Ｓの側方において天板１の上に立て、被検者Ｓの側方に位置する管球Ｔ’からＸ線を曝射し、被検者Ｓを透過したＸ線をカセッテ５により受像する。
【０００８】
これに対し、カセッテ５の代りにＸ線検出器を使用することが期待され、図８に示すようなＸ線受像部４の姿勢を変換し得る撮影台が提案されている。この撮影台では、Ｘ線受像部４を天板１の短手に沿う方向に案内するガイドレール６ａと、天板１から露出したＸ線受像部４を鉛直方向に回転可能とする回転軸６ｂとから構成されている。この撮影台では、Ｘ線受像部４の姿勢を水平状態から鉛直状態に変換できるので、被検者Ｓを１つのＸ線受像部４によって異なる方向から容易に撮影できるようになっている。
【０００９】
【発明が解決しようとする課題】
しかしながら上述の図８に示す撮影台では、被検者Ｓの側方に位置する管球Ｔ’とＸ線受像部４’によって被検者Ｓを撮影する際に、被検者Ｓを天板１上に仰臥又は伏臥させる場合には問題が発生しないが、例えば胸部に水等が溜まった被検者Ｓは天板１に側臥させる必要があるために問題がある。仰臥又は伏臥させる場合には、被検者Ｓの撮影部位の全体が天板１の近傍に位置し、Ｘ線受像部４’の撮影範囲に十分収まる。これに対し側臥させる場合には、被検者Ｓの撮影部位の上端がＸ線受像部４’の撮影範囲の上方にはみ出し、Ｘ線受像部４’を上方に移動させる必要が生ずる。
【００１０】
また、この種の撮影台では被検者Ｓで発生した散乱線がＸ線受像部に入射することを減少させるグリッドを使用し、このグリッドをＸ線受像部の前方に配置する場合が多い。この場合には、グリツトは焦点を持っているため、Ｘ線受像部４’を鉛直状態に変換して撮影する場合でも、管球Ｔ’とＸ線受像部４’の撮影範囲の中心とを合致させる必要が生ずる。
【００１１】
ところが、図９に示すように撮影範囲を広く取るために、Ｘ線受像部４’の上端を高い位置に設定し、管球Ｔ’の高さｈを撮影範囲の中心に合致させた場合には、側臥している被検者Ｓ’の撮影を満足させることができても、仰臥又は伏臥して低い位置を取った被検者Ｓの撮影を満足させることができない。また、図１０に示すように仰臥又は伏臥している被検者Ｓの撮影を満足させるために、Ｘ線受像部４’の上端を低く設定し、管球Ｔの高さｈ’を撮影範囲の中心に合致させた場合には、側臥した被検者Ｓ’の高い部位の撮影を満足させることができない。
【００１２】
本発明の目的は、上述の問題点を解消し、放射線受像部の撮影範囲を被検者に合わせて設定し得る放射線受像部付撮影台を提供することにある。
【００１３】
【課題を解決するための手段】
上記目的を達成するための本発明に係る放射線受像部付撮影台は、被検者を横臥させる天板と、該天板の下方に配置し、面を該天板に向けた放射線受像部と、前記天板の下方において前記放射線受像部を前記天板の下方位置から外側位置まで前記天板の短手に沿う方向に水平移動する移動手段と、該移動手段に付設し、前記天板の外側位置において前記放射線受像部をその面が鉛直方向を向くように水平軸を中心に回転させる回転手段と、前記移動手段に付設し、前記天板の外側位置において前記放射線受像部の鉛直方向に対する高さ位置を変更する変更手段とを備えたことを特徴とする。
【００１５】
【発明の実施の形態】
本発明を図１〜図５に図示の実施例に基づいて詳細に説明する。
図１は第１の実施例の一部を切欠した要部斜視図であり、支持台１１の上方に天板１２が例えば四隅の支柱１３を介して略水平状態に支持されている。天板１２は被検者を横臥させるものとされ、アクリル板、カーボン板、木材等から形成されている。天板１２の下方で支持台１１の上面には、Ｘ線デジタル検出器を内蔵したＸ線受像部１４が配置され、このＸ線受像部１４は案内機構１５により天板１２の短手方向に沿う方向に移動すること、天板１２から露出した後に鉛直方向に回転すること、回転する前に天板１２の短手方向に沿う方向の位置を変化することとが可能とされている。
【００１６】
図２は図１において案内機構１５を天板１２の短手方向であるＡ方向から見た部分拡大図であり、案内機構１５は支持台１１の上面に天板１２の短手方向に沿って対向配置された一対の第１の案内部材２１と、これらの第１の案内部材２１の内面に摺動自在にそれぞれ組み付けられた一対の第１の摺動部材２２と、これらの第１の摺動部材２２の内面に摺動自在にそれぞれ組み付けられた一対の第２の摺動部材２３と、Ｘ線受像部１４の側面にそれぞれ固定された一対の第２の案内部材２４と、これらの第２の案内部材２４の外面に摺動自在にそれぞれ組み付けられた第３の摺動部材２５と、第２の摺動部材２３と第３の摺動部材２５を回転自在に連結した回転連結部材２６とから構成されている。
【００１７】
そして、第２の案内部材２４を第３の摺動部材２５に対して摺動しないようにロックするロツクレバー２７が、第３の摺動部材２５に螺合等により取り付けられている。また、第３の摺動部材２５の上面には指標Ｉが設けられ、Ｘ線受像部１４の側面にはその高さを例えば高、中、低の３置に設定するための指標Ｈ、Ｍ、Ｌが設けられている。
【００１８】
なお、第１の案内部材２１と第１の摺動部材２２の間、第１の摺動部材２２と第２の摺動部材２３の間、そして第２の案内部材２４と第３の摺動部材２５の間は、例えばあり溝とあり等により連結されている。また、回転連結部材２６は例えば第２の摺動部材２３に対して回転可能とされ、第３の摺動部材２５に対して固定されている。更に、回転連結部材２６と第２の摺動部材２３の間には適当な摩擦が与えられ、Ｘ線受像部１４を水平状態及び鉛直状態に保持可能とされている。
【００１９】
このような構成の撮影台を使用して、天板１２の上方に配置した管球により被検者を撮影する際には、Ｘ線受像部１４を水平状態にして天板１２の下方に配置し、被検者を天板１２上に仰臥又は伏臥させ、管球からＸ線を投射してＸ線受像部１４により受像する。
【００２０】
一方、天板１２の側方に配置した管球により被検者を撮影する際には、Ｘ線受像部１４の姿勢を案内機構１５によって鉛直状態に設定する。即ち、先ずＸ線受像部１４を天板１２の短手に沿う方向に移動させて、天板１２の側方に露出させる。このとき、第１の摺動部材２２が第１の案内部材２１に対して摺動すると共に、第２の摺動部材２３が第１の摺動部材２２に対して摺動するため、Ｘ線受像部１４は２段構造によって大きく摺動し、Ｘ線受像部１４の撮影範囲１４ａが天板１２の下から完全に露出する。
【００２１】
次に、ロックレバー２７を緩め、第３の摺動部材２５に対するＸ線受像部１４の水平方向の位置を調整し、その後にロックレバー２７を再び締め付ける。例えば、Ｘ線受像部１４の撮影範囲１４ａを高くしたい場合には、ロックレバー２７を緩めた後に、Ｘ線受像部１４を天板１２から遠去かる方向に移動させ、Ｘ線受像部１４の指標Ｈを第３の摺動部材２５の指標Ｉに合わせ、その後にロックレバー２７を締め付ける。そして、Ｘ線受像部１４を水平軸を中心にその面が鉛直方向を向くように回転すると、回転連結部材２６が第２の摺動部材２３に対して回転し、Ｘ線受像部１４が高い位置で鉛直状態を保つ。なお、Ｘ線受像部１４の撮影範囲の調整が不要な場合には、Ｘ線受像部１４を天板１２から露出させた後に直ちに回転すればよい。
【００２２】
このように第１の実施例では、案内機構１５がＸ線受像部１４を天板１２の短手に沿う方向に移動して天板１２の下から十分に露出させ、Ｘ線受像部１４の回転位置を調整した後にＸ線受像部１４を鉛直方向に回転するので、天板１２とＸ線受像部１４の鉛直方向に対する相対距離を調整することが可能となり、Ｘ線受像部１４の高さを被検者に合わせて設定できる。
【００２３】
従って、従来のフィルムと蓄積性蛍光体シートを用いた撮影とは異なる形状と特性を持つ二次元放射線検出器を有効に利用しながら、１つのＸ線受像部１４により複数の方向から最適な状態で撮影でき、診断に有効なＸ線像が得られる。また、Ｘ線受像部１４の姿勢を鉛直状態に変更する前にＸ線受像部１４の回転位置を調整する構成であるため、案内機構１５の構造が簡素となる。
【００２４】
図３は第２の実施例の一部を切欠した要部拡大斜視図であり、Ｘ線受像部１４の姿勢を鉛直状態に変換して示している。案内機構３１はＸ線受像部１４の姿勢を鉛直状態に変換した後に、その高さを調整できるようになっている。案内機構３１には、第１の実施例と同様な第１の案内部材２１、第１の摺動部材２２、第２の摺動部材２３及び回転連結部材２６が備えられている。また、Ｘ線受像部１４の側面には一対のラック３２がそれぞれ固定されていると共に、箱状の第３の摺動部材３３が摺動自在に連結され、第３の摺動部材３３は回転連結部材２６に固定されている。なお、Ｘ線受像部１４と第３の摺動部材３３は、例えばあり溝とあり等により連結されている。
【００２５】
ラック３２には、第３の摺動部材３３にギア軸３４を介して支持されたピニオン３５が噛合されている。ギア軸３４にはホイールギア３６が支持されており、このホイールギア３６は第３の摺動部材３３にギア軸３７を介して支持されたウオームギア３８に噛合されている。そして、ギア軸３７にはノブ３９が第３の摺動部材３３の外部において取り付けられている。
【００２６】
天板１２とＸ線受像部１４の鉛直方向に対する相対距離を調整する際には、Ｘ線受像部１４を天板１２の下から露出させて鉛直方向に回転した後に、ノブ３９矢印方向に回転操作する。これにより、ウオームギア３８が回転してホイールギア３６とピニオン３５が一体に回転し、ラック３２が移動してＸ線受像部１４が上下方向に移動する。
【００２７】
この第２の実施の形態では、案内機構３１の構造が第１の実施例よりも若干複雑になるが、Ｘ線受像部１４を鉛直状態にした後に上下方向に移動できるので、Ｘ線受像部１４の高さを被検者に合わせて微調整することが可能となる。なお、ウオームギア３８に鉛直方向に対するセルフロック機能を持たせれば、Ｘ線受像部１４が自重によって降下することを防止できる。
【００２８】
図４は第３の実施例の一部を切欠した要部斜視図であり、昇降機構４１はＸ線受像部１４を第１の案内部材２１と共に鉛直方向に駆動可能とされている。即ち、昇降機構４１には第１の実施例と同様な第１の案内部材２１、第１の摺動部材２２、第２の摺動部材２３及び回転連結部材２６が備えられている反面で、回転連結部材２６はＸ線受像部１４に固定されている。支持台１１と天板１２との間隔は、第１の案内部材２１が昇降する分だけ確保され、第１の案内部材２１は昇降機構４２を介して支持台１１に取り付けられている。第１の案内部材２１は例えば２組のリンク４２を介して支持台１１に上下方向に移動自在に支持され、リンク４２同士はノブ４３を備えた連結軸４４により連結されている。これにより、ノブ４３を回転することによりリンク４２を駆動し、第１の案内部材２１の全体を上下に駆動し、Ｘ線受像部１４の高さを調整可能とされている。
【００２９】
この第３の実施例では、第２の実施例と同様な効果を達成できる上に、天板１２の下方に位置するＸ線受像部１４を上下方向に駆動できるので、Ｘ線受像部１４を被検者から通常よりも離間させることが可能となり、撮影部位をより詳細に観察するために有効な撮影、所謂拡大撮影が可能となる。
【００３０】
図５は第４の実施例の一部を切欠した要部斜視図であり、天板１２を上下方向に移動することにより天板１２とＸ線受像部１４との相対距離を変更可能としている。Ｘ線受像部１４は第１の案内部材２１、第１の摺動部材２２、第２の摺動部材２３及び回転連結部材２６により支持されている。また、天板１２を支持する支柱１３’の下部は支持台１１’の内部に延長され、支持台１１’の内部に配置された昇降機構５１により昇降可能とされている。
【００３１】
昇降機構５１は駆動モータ５２と、支柱１３’に螺合されたねじ軸５３と、ねじ軸５３に固定されたプーリ５４と、駆動モータ５２に固定されたプーリ５５と、プーリ５４、５５に連結されたベルト５６と、駆動モータ５２を操作する図示しないスイッチ等とから構成されている。
【００３２】
この第４の実施例の形態では、スイッチ等を操作することにより天板１２の高さを変更できるので、第３の実施例と同様な効果を達成できる。
【００３３】
なお、上述した第１〜第４の実施例の形態ではＸ線受像部１４にＸ線デジタル検出器を使用したが、これに限定されずＸ線デジタル検出器の代りに例えばフィルム又は蓄積性蛍光体シートを収容したカセッテを使用した場合でも、同様な効果を達成できる。
【００３４】
【発明の効果】
以上説明したように本発明に係る放射線受像部付撮影台は、天板に対する放射線受像部の略鉛直方向の設置位置を変更可能としたので、放射線受像部の撮影範囲を被検者に合わせて設定することが可能となり、被検者を常に最適な状態で撮影でき、診断に有効な放射線像を得ることができる。
【図面の簡単な説明】
【図１】第１の実施例の一部を切欠した要部斜視図である。
【図２】図１においてＡ方向から見た部分拡大図である。
【図３】第２の実施例の一部を切欠した要部拡大斜視図である。
【図４】第３の実施例の一部を切欠した要部斜視図である。
【図５】第４の実施例の一部を切欠した要部斜視図である。
【図６】従来例の撮影方法説明図である。
【図７】従来例の撮影方法説明図である。
【図８】従来例の撮影方法説明図である。
【図９】従来例の撮影範囲説明図である。
【図１０】従来例の撮影範囲説明図である。
【符号の説明】
１１  支持台
１２  天板
１３  支柱
１４  Ｘ線受像部
１５、３１  案内機構
２１  第１の案内部材
２２  第１の摺動部材
２３  第２の摺動部材
２４  第２の案内部材
２５  第３の摺動部材
２６  回転連結部材
２７  ロックレバー
４１、５１  昇降機構
【図１】
0003631075.tif 000002
【図２】
0003631075.tif 000003
【図３】
0003631075.tif 000004
【図４】
0003631075.tif 000005
【図５】
0003631075.tif 000006
【図６】
0003631075.tif 000007
【図７】
0003631075.tif 000008
【図８】
0003631075.tif 000009
【図９】
0003631075.tif 000010
【図１０】
0003631075.tif 000011